(57)【特許請求の範囲】
【請求項１】
画像として検出した指紋を画像処理により特徴点を抽出する特徴点抽出手段と、暗証番号により検索した登録指紋の特徴点と上記特徴点抽出手段における特徴点の両者を照合して一致したときに同定判定を出力する照合手段と、上記暗証番号により検索した登録指紋が無効指紋であるときに上記特徴点抽出手段の出力から特徴点を計数する特徴点計数手段と、この特徴点計数手段による特徴点数値が、上記無効指紋が示す特徴点数値として予め設定された所定範囲外の値であるときに特徴点数異常判定を出力する比較手段と、上記照合手段による同定判定及び上記特徴点数異常判定による強制同定判定のいずれか一方が出力されたとき承認出力を発する指紋照合装置。
【請求項２】
画像として検出した指紋を画像処理により特徴点を抽出する特徴点抽出手段と、暗証番号により検索した登録指紋の特徴点と上記特徴点抽出手段における特徴点の両者を照合して一致したときに同定判定を出力する照合手段と、上記暗証番号により検索した登録指紋が無効指紋であるときに上記画像として検出した指紋を二値化した二値画像の黒画素の全画素に対する比率を算出する黒画素比率演算手段と、この黒画素比率演算手段による黒画素比率が、上記無効指紋が示す黒画素比率として予め設定された所定範囲外の値であるときに黒画素比率異常判定を出力する比較手段と、上記照合手段による同定判定及び上記黒画素比率異常判定による強制同定判定のいずれか一方が出力されたとき承認出力を発する指紋照合装置。
【請求項３】
画像として検出した指紋を画像処理により特徴点を抽出する特徴点抽出手段と、暗証番号により検索した登録指紋の特徴点と上記特徴点抽出手段における特徴点の両者を照合して一致したときに同定判定を出力する照合手段と、上記暗証番号により検索した登録指紋が無効指紋であるときに上記画像として検出した指紋の細線画像の線分長を算出する線分長演算手段と、この線分長演算手段による線分長が、上記無効指紋が示す線分長として予め設定された所定値以上の値であるときに線分長過大判定を出力する比較手段と、上記照合手段による同定判定及び上記線分長過大判定による強制同定判定のいずれか一方が出力されたとき承認出力を発する指紋照合装置。
【請求項４】
画像として検出した指紋を画像処理により特徴点を抽出する特徴点抽出手段と、暗証番号により検索した登録指紋の特徴点と上記特徴点抽出手段における特徴点の両者を照合して一致したときに同定判定を出力する照合手段と、指が指紋検出器に置かれると指置き検出信号を出力する接触検出器と、上記指置き検出信号により所定時限付勢される時限装置と、上記画像として検出した指紋の画像におけるコントラストを検出するコントラスト検出手段と、上記暗証番号により検索した登録指紋が無効指紋であるときに上記時限装置の時限中における上記コントラスト検出手段の最大コントラスト値が、上記無効指紋が示す最大コントラスト値として予め設定された所定値以下の値であるときにコントラスト過小判定を出力する比較手段と、上記照合手段による同定判定及び上記コントラスト過小判定による強制同定判定のいずれか一方が出力されたとき承認出力を発する指紋照合装置。
【請求項５】
画像として検出した指紋を画像処理により特徴点を抽出する特徴点抽出手段と、暗証番号により検索した登録指紋の特徴点と上記特徴点抽出手段における特徴点の両者を照合して一致したときに同定判定を出力する照合手段と、指が指紋検出器に置かれると指置き検出信号を出力する接触検出器と、上記指置き検出信号により所定時限付勢される時限装置と、上記画像として検出した指紋の画像におけるコントラストを検出するコントラスト検出手段と、上記暗証番号により検索した登録指紋が無効指紋であるときに上記時限装置の時限中における上記コントラスト検出手段の最終コントラスト値が、上記無効指紋が示す最終コントラスト値として予め設定された所定値以上の値であるときにコントラスト過大判定を出力する比較手段と、上記照合手段による同定判定及び上記コントラスト過大判定による強制同定判定のいずれか一方が出力されたとき承認出力を発する指紋照合装置。
【発明の詳細な説明】
【０００１】
【発明の属する技術分野】
この発明は、出入り管理等に使用される装置であって、入力された指紋と予め登録された指紋を照合して個人を同定する指紋照合装置に関する。
【０００２】
【従来の技術】
図６は、従来の指紋照合装置を示す論理回路図である。図において、１は指紋画像２を発生する指紋検出器である。そして、指紋画像２は二値化回路３へ入力され細線化回路４及び特徴点抽出回路５を経て抽出特徴点６が出力される。また、７はテンキーで、入力された暗証番号８を出力して登録指紋呼び出し回路９に入力する。
【０００３】
そして、登録指紋呼び出し回路９において、特徴点抽出回路により抽出されて予め登録された指紋の中から、暗証番号８に対応した指紋の特徴を特徴点メモリー１０に登録する。
次いで、特徴点メモリー１０から登録特徴点１１が出力される。
【０００４】
また、登録指紋呼び出し回路９において、暗証番号８に対応した指紋が凹凸が少ないなどの原因のために照合できない指紋である場合は、対応した暗証番号８を無効指紋として無効指紋リスト１２に登録される。そして、無効指紋リスト１２から無効指紋判定１３が出力される。
【０００５】
１４は照合回路で、抽出特徴点６及び登録特徴点１１の両者が入力され、これら両者が一致すれば同定判定１５が出力される。また、１６はＯＲ回路で、無効指紋判定１３及び同定判定１５の双者のいずれかが入力されて承認判定１７を出力する。
【０００６】
すなわち、照合できない指紋である場合に照合回路１４による照合を行わないときであっても、暗証番号８に対応させて無効指紋として予め無効指紋リスト１２に登録されていれば、無効指紋判定１３の出力がＯＲ回路１６を経て承認判定１７が出力されるようになっている。
【０００７】
【発明が解決しようとする課題】
上記のような従来の指紋照合装置において、照合できない指紋に対して暗証番号の一致だけで承認判定１７が出力される。このため、暗証番号を盗用すれば、適宜な個人が承認判定されるので、指紋照合方式における高精度の識別性能が損なわれるという問題点があった。
【０００８】
この発明は、かかる問題点を解消するためになされたものであり、充分照合できない指紋である場合に要部を比較し、暗証番号の盗用等による不適正な承認判定発生を解消する指紋照合装置を得ることを目的とする。
【０００９】
【課題を解決するための手段】
この発明に係る指紋照合装置においては、画像として検出した指紋を画像処理により特徴点を抽出する特徴点抽出手段と、暗証番号により検索した登録指紋の特徴点と特徴点抽出手段における特徴点の両者を照合して一致したときに同定判定を出力する照合手段と、暗証番号により検索した登録指紋が無効指紋であるときに特徴点抽出手段の出力から特徴点を計数する特徴点計数手段と、この特徴点計数手段による特徴点数値が、無効指紋が示す特徴点数値として予め設定された所定範囲外の値であるときに特徴点数異常判定を出力する比較手段とが設けられる。そして、照合手段による同定判定及び特徴点数異常判定による強制同定判定のいずれか一方が出力されたとき承認出力を発する。
【００１０】
また、この発明に係る指紋照合装置においては、画像として検出した指紋を画像処理により特徴点を抽出する特徴点抽出手段と、暗証番号により検索した登録指紋の特徴点と特徴点抽出手段における特徴点の両者を照合して一致したときに同定判定を出力する照合手段と、暗証番号により検索した登録指紋が無効指紋であるときに画像として検出した指紋を二値化した二値画像の黒画素の全画素に対する比率を算出する黒画素比率演算手段と、この黒画素比率演算手段による黒画素比率が、無効指紋が示す黒画素比率として予め設定された所定範囲外の値であるときに黒画素比率異常判定を出力する比較手段とが設けられる。そして、照合手段による同定判定及び黒画素比率異常判定による強制同定判定のいずれか一方が出力されたとき承認出力を発する。
【００１１】
また、この発明に係る指紋照合装置においては、画像として検出した指紋を画像処理により特徴点を抽出する特徴点抽出手段と、暗証番号により検索した登録指紋の特徴点と特徴点抽出手段における特徴点の両者を照合して一致したときに同定判定を出力する照合手段と、暗証番号により検索した登録指紋が無効指紋であるときに画像として検出した指紋の細線画像の線分長を算出する線分長演算手段と、この線分長演算手段による線分長が、無効指紋が示す線分長として予め設定された所定値以上の値であるときに線分長過大判定を出力する比較手段とが設けられる。そして、照合手段による同定判定及び線分長過大判定による強制同定判定のいずれか一方が出力されたとき承認出力を発する。
【００１２】
また、この発明に係る指紋照合装置においては、画像として検出した指紋を画像処理により特徴点を抽出する特徴点抽出手段と、暗証番号により検索した登録指紋の特徴点と特徴点抽出手段における特徴点の両者を照合して一致したときに同定判定を出力する照合手段と、指が指紋検出器に置かれると指置き検出信号を出力する接触検出器と、指置き検出信号により所定時限付勢される時限装置と、画像として検出した指紋の画像におけるコントラストを検出するコントラスト検出手段と、暗証番号により検索した登録指紋が無効指紋であるときに時限装置の時限中におけるコントラスト検出手段の最大コントラスト値が、無効指紋が示す最大コントラスト値として予め設定された所定値以下の値であるときにコントラスト過小判定を出力する比較手段とが設けられる。そして、照合手段による同定判定及びコントラスト過小判定による強制同定判定のいずれか一方が出力されたとき承認出力を発する。
【００１３】
また、この発明に係る指紋照合装置においては、画像として検出した指紋を画像処理により特徴点を抽出する特徴点抽出手段と、暗証番号により検索した登録指紋の特徴点と特徴点抽出手段における特徴点の両者を照合して一致したときに同定判定を出力する照合手段と、指が指紋検出器に置かれると指置き検出信号を出力する接触検出器と、指置き検出信号により所定時限付勢される時限装置と、画像として検出した指紋の画像におけるコントラストを検出するコントラスト検出手段と、暗証番号により検索した登録指紋が無効指紋であるときに時限装置の時限中におけるコントラスト検出手段の最終コントラスト値が、無効指紋が示す最終コントラスト値として予め設定された所定値以上の値であるときにコントラスト過大判定を出力する比較手段とが設けられる。そして、照合手段による同定判定及びコントラスト過大判定による強制同定判定のいずれか一方が出力されたとき承認出力を発する。
【００１４】
【発明の実施の形態】
実施の形態１．
図１は、この発明の一実施の形態を示す論理回路図である。図において、１は指紋画像２を発生する指紋検出器である。そして、指紋画像２は二値化回路３へ入力され細線化回路４及び特徴点抽出手段５を経て抽出特徴点６が出力される。また、７はテンキーで、入力された暗証番号８を出力して登録指紋呼び出し回路９に入力する。
【００１５】
そして、登録指紋呼び出し回路９において、特徴点抽出回路により抽出されて予め登録された指紋の中から、暗証番号８に対応した指紋の特徴を特徴点メモリー１０に登録する。そして、この特徴点メモリー１０から登録特徴点１１が出力される。
【００１６】
また、登録指紋呼び出し回路９において、暗証番号８に対応した指紋が凹凸が少ないなどの原因のために照合できない指紋である場合は、対応した暗証番号８を無効指紋として無効指紋リスト１２に登録される。なお、特徴点抽出回路により抽出されて予め登録された指紋のうち、凹凸が少ないなどの原因のために照合できない指紋のことを「無効指紋」という。そして、無効指紋リスト１２から無効指紋判定１３が出力される。
【００１７】
１４は照合手段で、抽出特徴点６及び登録特徴点１１の両者が入力され、これら両者が一致すれば同定判定１５が出力される。また、１８は抽出特徴点６が入力される特徴点計数手段で、特徴点数１９を出力する。２０は比較手段で、特徴点数１９及び予め設定された所定範囲値２１、例えば１０点以上４０点以下が入力されて特徴点数１９が所定範囲値２１から外れていれば特徴点数異常判定２２を出力する。
【００１８】
２３はＡＮＤゲートで、無効指紋判定１３及び特徴点数異常判定２２が入力されると動作して強制同定判定２４を出力する。１６はＯＲ回路で、同定判定１５及び強制同定判定２４の双者のいずれかが入力されると承認判定１７を出力する。すなわち、照合できない指紋である場合に照合手段１４による照合を行わないときであっても、凹凸の少ない指紋の特徴である特徴点数１９が所定範囲値２１から外れた異常値であるときに無効指紋判定１３及び特徴点数異常判定２２により強制同定判定２４が出力される。
【００１９】
そして、強制同定判定２４の出力を介して承認判定１７が出力される。このため、照合できない指紋であって凹凸の少ない指紋に対して暗証番号の一致だけで承認判定１７が出力されることがなく、暗証番号の盗用等における不適正な承認判定の発生が解消される。したがって、指紋照合方式特有の信頼性の高い識別性能を発揮することができる。
【００２０】
実施の形態２．
図２は、この発明の他の実施の形態を示す論理回路図である。図において、前述の図１と同符号は相当部分を示し、２５は二値化回路３から出力される二値画像で、黒画素比率演算手段２６に入力される。２７は黒画素比率演算手段２６から出力されて比較手段２０に入力される黒画素比率である。
【００２１】
そして、比較手段２０において、黒画素比率２７及び予め設定された所定範囲値２８、例えば２０％以上８０％以下が入力されて黒画素比率２７が所定範囲値２８から外れていれば黒画素比率異常判定２９を出力する。
これによって、ＡＮＤゲート２３に無効指紋判定１３及び黒画素比率異常判定２９が入力されて動作し強制同定判定２４を出力する。
【００２２】
１６はＯＲ回路で、同定判定１５及び強制同定判定２４の双者のいずれかが入力されると承認判定１７を出力する。すなわち、照合できない指紋である場合に照合回路１４による照合を行わないときであっても、凹凸の少ない指紋の特徴である黒画素比率２７が所定範囲値２８から外れた異常値であるときに無効指紋判定１３及び黒画素比率異常判定２９により強制同定判定２４が出力される。
【００２３】
そして、強制同定判定２４の出力を介して承認判定１７が出力される。このため、照合できない指紋であって凹凸の少ない指紋に対して暗証番号の一致だけで承認判定１７が出力されることがなく、暗証番号の盗用等における不適正な承認判定が解消される。したがって、指紋照合方式特有の信頼性の高い識別性能を発揮することができる。
【００２４】
実施の形態３．
図３も、この発明の他の実施の形態を示す論理回路図である。図において、前述の図１と同符号は相当部分を示し、３０は細線化回路４から出力される細線画像で、線分長演算手段３１に入力される。３２は線分長演算手段３１から出力されて比較手段２０に入力される線分長である。
【００２５】
そして、比較手段２０において、線分長３２及び予め設定された所定値３３、例えば１００００画素長が入力されて線分長３２が所定値３３以上であれば線分長過大判定３４を出力する。
これによって、ＡＮＤゲート２３に無効指紋判定１３及び線分長過大判定３４が入力されて動作し強制同定判定２４を出力する。
【００２６】
１６はＯＲ回路で、同定判定１５及び強制同定判定２４の双者のいずれかが入力されると承認判定１７を出力する。すなわち、照合できない指紋である場合に照合回路１４による照合を行わないときであっても、凹凸の少ない指紋の特徴である細線画像３０の線分長３２が所定値３３よりも大きい値であるときに無効指紋判定１３及び線分長過大判定３４により強制同定判定２４が出力される。
【００２７】
そして、強制同定判定２４の出力を介して承認判定１７が出力される。このため、照合できない指紋であって凹凸の少ない指紋に対して暗証番号の一致だけで承認判定１７が出力されることがなく、暗証番号の盗用等における不適正な承認判定の発生が解消される。したがって、指紋照合方式特有の信頼性の高い識別性能を発揮することができる。
【００２８】
実施の形態４．
図４も、この発明の他の実施の形態を示す論理回路図である。図において、前述の図１と同符号は相当部分を示し、３５は指紋検出器１に設けられた接触検出器で、指が指紋検出器１に置かれると指置き検出信号３６を出力する。３７は指置き検出信号３６が入力されると付勢される時限装置で、所定時間３８、例えば１秒間、時限出力３９を発生する。
【００２９】
４０は指紋画像２が入力されるコントラスト検出手段で、コントラスト値４１を出力する。４２は時限出力３９及びコントラスト値４１の入力により動作する最大値回路で、指紋画像２からコントラスト検出手段４０で検出されたコントラスト値４１をサンプリングし、時限出力３９が消失するまでの間の最大コントラスト値４３を出力する。
【００３０】
４４は比較手段２０に予め入力された所定値で、例えばフルスケールの２０％である。
そして、比較手段２０において、最大コントラスト値４３及び予め設定された所定値４４を比較し、最大コントラスト値４３が所定値４４以下であれば、コントラスト過小判定４５を出力する。これによって、ＡＮＤゲート２３に無効指紋判定１３及びコントラスト過小判定４５が入力されて動作し強制同定判定２４を出力する。
【００３１】
１６はＯＲ回路で、同定判定１５及び強制同定判定２４の双者のいずれかが入力されると承認判定１７を出力する。すなわち、照合できない指紋である場合に照合回路１４による照合を行わないときであっても、発汗の少ない指紋の特徴である最大コントラスト値４３が予め設定された所定値４４以下、すなわちコントラストが過小であることを判定して無効指紋判定１３及びコントラスト過小判定４５により強制同定判定２４が出力される。
【００３２】
そして、強制同定判定２４の出力を介して承認判定１７が出力される。このため、照合できない指紋であって発汗の少ない指紋に対して暗証番号の一致だけで承認判定１７が出力されることがなく、暗証番号の盗用等における不適正な承認判定の発生が解消される。したがって、指紋照合方式特有の信頼性の高い識別性能を発揮することができる。
【００３３】
実施の形態５．
図５も、この発明の他の実施の形態を示す論理回路図である。図において、前述の図４と同符号は相当部分を示し、４５は時限装置３７から出力されるトリガー信号で、所定時間３８、例えば１秒間発生する。
４６はラッチ回路で、コントラスト値４１及びトリガー信号４５が入力されるとコントラスト値４１をラッチし、最終コントラスト値４７を出力する。
【００３４】
４８は比較手段２０に予め入力された所定値で、例えばフルスケールの８０％である。
そして、比較手段２０において、最終コントラスト値４７及び予め設定された所定値４８を比較し、最終コントラスト値４７が所定値４８以上であれば、コントラスト過大判定４９を出力する。これによって、ＡＮＤゲート２３に無効指紋判定１３及びコントラスト過大判定４９が入力されて動作し強制同定判定２４を出力する。
【００３５】
１６はＯＲ回路で、同定判定１５及び強制同定判定２４の双者のいずれかが入力されると承認判定１７を出力する。すなわち、照合できない指紋である場合に照合回路１４による照合を行わないときであっても、発汗の多い指紋の特徴である最終コントラスト値４７が予め設定された所定値４８以上、すなわちコントラストが過大であることを判定して無効指紋判定１３及びコントラスト過大判定４９により強制同定判定２４が出力される。
【００３６】
そして、強制同定判定２４の出力を介して承認判定１７が出力される。このため、照合できない指紋であって発汗の多い指紋に対して暗証番号の一致だけで承認判定１７が出力されることがなく、暗証番号の盗用等における不適正な承認判定の発生が解消される。したがって、指紋照合方式特有の信頼性の高い識別性能を発揮することができる。
【００３７】
【発明の効果】
この発明は以上説明したように、画像として検出した指紋を画像処理により特徴点を抽出する特徴点抽出手段と、暗証番号により検索した登録指紋の特徴点と特徴点抽出手段における特徴点の両者を照合して一致したときに同定判定を出力する照合手段と、暗証番号により検索した登録指紋が無効指紋であるときに特徴点抽出手段の出力から特徴点を計数する特徴点計数手段と、この特徴点計数手段による特徴点数値が、無効指紋が示す特徴点数値として予め設定された所定範囲外の値であるときに特徴点数異常判定を出力する比較手段とを設けたものである。そして、照合手段による同定判定及び特徴点数異常判定による強制同定判定のいずれか一方が出力されたとき承認出力を発する。
【００３８】
これによって、照合できない指紋である場合に照合手段による照合を行わないときであっても、凹凸の少ない指紋の特徴である特徴点数が所定範囲値から外れた異常値であるときに強制同定判定が出力される。そして、強制同定判定の出力を介して承認判定が出力される。このため、照合できない指紋であって凹凸の少ない指紋に対して暗証番号の一致だけで承認判定が出力されることがなく、暗証番号の盗用等における不適正な承認判定の発生が解消される。したがって、指紋照合方式による高識別性能を享受する効果がある。
【００３９】
また、この発明は以上説明したように、画像として検出した指紋を画像処理により特徴点を抽出する特徴点抽出手段と、暗証番号により検索した登録指紋の特徴点と特徴点抽出手段における特徴点の両者を照合して一致したときに同定判定を出力する照合手段と、暗証番号により検索した登録指紋が無効指紋であるときに画像として検出した指紋を二値化した二値画像の黒画素の全画素に対する比率を算出する黒画素比率演算手段と、この黒画素比率演算手段による黒画素比率が、無効指紋が示す黒画素比率として予め設定された所定範囲外の値であるときに黒画素比率異常判定を出力する比較手段とを設けたものである。そして、照合手段による同定判定及び黒画素比率異常判定による強制同定判定のいずれか一方が出力されたとき承認出力を発する。
【００４０】
これによって、照合できない指紋である場合に照合手段による照合を行わないときであっても、凹凸の少ない指紋の特徴である黒画素比率が所定範囲値から外れた異常値であるときに強制同定判定が出力される。そして、強制同定判定の出力を介して承認判定が出力される。このため、照合できない指紋であって凹凸の少ない指紋に対して暗証番号の一致だけで承認判定が出力されることがなく、暗証番号の盗用等における不適正な承認判定の発生が解消される。したがって、指紋照合方式による高識別性能を享受する効果がある。
【００４１】
また、この発明は以上説明したように、画像として検出した指紋を画像処理により特徴点を抽出する特徴点抽出手段と、暗証番号により検索した登録指紋の特徴点と特徴点抽出手段における特徴点の両者を照合して一致したときに同定判定を出力する照合手段と、暗証番号により検索した登録指紋が無効指紋であるときに画像として検出した指紋の細線画像の線分長を算出する線分長演算手段と、この線分長演算手段による線分長が、無効指紋が示す線分長として予め設定された所定値以上の値であるときに線分長過大判定を出力する比較手段とを設けたものである。そして、照合手段による同定判定及び線分長過大判定による強制同定判定のいずれか一方が出力されたとき承認出力を発する。
【００４２】
これによって、照合できない指紋である場合に照合手段による照合を行わないときであっても、凹凸の少ない指紋の特徴である細線画像の線分長が所定値よりも大きい値であるときに強制同定判定が出力される。そして、強制同定判定の出力を介して承認判定が出力される。このため、照合できない指紋であって凹凸の少ない指紋に対して暗証番号の一致だけで承認判定が出力されることがなく、暗証番号の盗用等における不適正な承認判定の発生が解消される。したがって、指紋照合方式による高識別性能を享受する効果がある。
【００４３】
また、この発明は以上説明したように、画像として検出した指紋を画像処理により特徴点を抽出する特徴点抽出手段と、暗証番号により検索した登録指紋の特徴点と特徴点抽出手段における特徴点の両者を照合して一致したときに同定判定を出力する照合手段と、指が指紋検出器に置かれると指置き検出信号を出力する接触検出器と、指置き検出信号により所定時限付勢される時限装置と、画像として検出した指紋の画像におけるコントラストを検出するコントラスト検出手段と、暗証番号により検索した登録指紋が無効指紋であるときに時限装置の時限中におけるコントラスト検出手段の最大コントラスト値が、無効指紋が示す最大コントラスト値として予め設定された所定値以下の値であるときにコントラスト過小判定を出力する比較手段とを設けたものである。そして、照合手段による同定判定及びコントラスト過小判定による強制同定判定のいずれか一方が出力されたとき承認出力を発する。
【００４４】
これによって、照合できない指紋である場合に照合手段による照合を行わないときであっても、発汗の少ない指紋の特徴である最大コントラスト値が所定値以下であるときに強制同定判定が出力される。そして、強制同定判定の出力を介して承認判定が出力される。このため、照合できない指紋であって発汗の少ない指紋に対して暗証番号の一致だけで承認判定が出力されることがなく、暗証番号の盗用等における不適正な承認判定の発生が解消される。したがって、指紋照合方式による高識別性能を享受する効果がある。
【００４５】
また、この発明は以上説明したように、画像として検出した指紋を画像処理により特徴点を抽出する特徴点抽出手段と、暗証番号により検索した登録指紋の特徴点と特徴点抽出手段における特徴点の両者を照合して一致したときに同定判定を出力する照合手段と、指が指紋検出器に置かれると指置き検出信号を出力する接触検出器と、指置き検出信号により所定時限付勢される時限装置と、画像として検出した指紋の画像におけるコントラストを検出するコントラスト検出手段と、暗証番号により検索した登録指紋が無効指紋であるときに時限装置の時限中におけるコントラスト検出手段の最終コントラスト値が、無効指紋が示す最終コントラスト値として予め設定された所定値以上の値であるときにコントラスト過大判定を出力する比較手段とを設けたものである。そして、照合手段による同定判定及びコントラスト過大判定による強制同定判定のいずれか一方が出力されたとき承認出力を発する。
【００４６】
これによって、照合できない指紋である場合に照合手段による照合を行わないときであっても、発汗の多い指紋の特徴である最大コントラスト値が所定値を超えているときに強制同定判定が出力される。そして、強制同定判定の出力を介して承認判定が出力される。このため、照合できない指紋であって発汗の多い指紋に対して暗証番号の一致だけで承認判定が出力されることがなく、暗証番号の盗用等における不適正な承認判定の発生が解消される。したがって、指紋照合方式による高識別性能を享受する効果がある。
【図面の簡単な説明】
【図１】  この発明の実施の形態１を示す論理回路図。
【図２】  この発明の実施の形態２を示す論理回路図。
【図３】  この発明の実施の形態３を示す論理回路図。
【図４】  この発明の実施の形態４を示す論理回路図。
【図５】  この発明の実施の形態５を示す論理回路図。
【図６】  従来の指紋照合装置を示す論理回路図。
【符号の説明】
１  指紋検出器、５  特徴点抽出手段、８  暗証番号、１４  照合手段、１５  同定判定、１７  承認出力、１８  特徴点計数手段、１９  特徴点数値、２０  比較手段、２１  所定範囲値、２２  特徴点数異常判定、２４  強制同定判定、２５  二値画像、２６  黒画素比率演算手段、２７  黒画素比率、２８  所定範囲値、２９  黒画素比率異常判定、３０  細線画像、３１  線分長演算手段、３２  線分長、３３  所定値、３４  線分長過大判定、３５  接触検出器、３６  指置き検出信号、３７  時限装置、４０  コントラスト検出手段、４３  最大コントラスト値、４４  所定値、４５  最大コントラスト過小判定、４７  最終コントラスト値、４８  所定値、４９  最大コントラスト過大判定。
【図１】
0003775835.tif 000002
【図２】
0003775835.tif 000003
【図３】
0003775835.tif 000004
【図４】
0003775835.tif 000005
【図５】
0003775835.tif 000006
【図６】
0003775835.tif 000007